(57)【要約】【課題】簡単な構成で確実に消炎装置を固定することができる消炎装置の組み付け構造を備えたインテークマニホールドを提供する。【解決手段】消炎装置が組み付けられた吸気口と複数の分岐管路とが形成されたチャンバ室を有するインテークマニホールドであって、前記インテークマニホールドは、長手方向に沿った分割面で複数に分割されて少なくともベース部材とカバー部材とから構成され、前記消炎装置は、前記吸気口に溶着される消炎装置固定部材と前記ベース部材によって挟持される。【選択図】図２
2015059431.tif 000002
【特許請求の範囲】
【請求項１】
消炎装置が組み付けられた吸気口と複数の分岐管路とが形成されたチャンバ室を有するインテークマニホールドであって、
前記インテークマニホールドは、長手方向に沿った分割面で複数に分割されて少なくともベース部材とカバー部材とから構成され、
前記消炎装置は、前記吸気口に溶着される消炎装置固定部材と前記ベース部材によって挟持されることを特徴とするインテークマニホールド。
【請求項２】
請求項１に記載のインテークマニホールドにおいて、
前記消炎装置固定部材は、前記消炎装置の外周を径方向に押圧する押圧部を備えることを特徴とするインテークマニホールド。
【請求項３】
請求項２に記載のインテークマニホールドにおいて、
前記ベース部材は、前記吸気口近傍に突起が形成され、
前記消炎装置固定部材は、前記押圧部から延設する鍔部を備え、該鍔部に前記突起に嵌合可能な凹部を備えることを特徴とするインテークマニホールド。
【請求項４】
請求項１から３のいずれか１項に記載のインテークマニホールドにおいて、
前記ベース部材、前記カバー部材及び前記消炎装置固定部材は、これらの３部材を同時に溶着することを特徴とするインテークマニホールド。
【請求項５】
請求項１から４のいずれか１項に記載のインテークマニホールドにおいて、
前記消炎装置固定部材は、前記消炎装置の軸方向の外周縁部と当接するフランジ部を備えることを特徴とするインテークマニホールド。
【発明の詳細な説明】
【技術分野】
【０００１】
本発明は、内燃機関に外気を導入するために搭載される合成樹脂製のインテークマニホールドに関する。
【背景技術】
【０００２】
従来より、内燃機関に外気を導入するインテークマニホールドにおいて、内燃機関からのバックファイヤーを防ぐために内部に消炎装置を組み付けたインテークマニホールドが知られている。
【０００３】
このような消炎装置は、種々の方法で組み付けられるが、例えば、外気を導入する吸気口に取り付けられることが知られている。
【先行技術文献】
【特許文献】
【０００４】
【特許文献１】特開２００６−４６０６９号公報
【０００５】
特許文献１に記載されたインテークマニホールドは、本体を水平面を含む分割面で複数に分割して少なくともベース部材とカバー部材とで構成し、ベース部材の嵌合凹部に、その開口部から消炎装置を組み込み、これをカバー部材に形成したリング状の押圧部で消炎装置を挟持して固定するという構成を備えている。
【０００６】
このように、特許文献１に記載された消炎装置の組み付け構造を備えたインテークマニホールドによれば、消炎装置の組み付け性を高めるとともに、小型化および軽量化を図ることができる。
【発明の概要】
【発明が解決しようとする課題】
【０００７】
しかし、特許文献１に記載された消炎装置の組み付け構造によれば、消炎装置をベース部材とカバー部材とで挟持しており、詳述すると、カバー部材に形成したリング状の押圧部によって消炎装置を軸方向に押さえているので、消炎部材の径方向にガタツキが生じ、内燃機関の駆動に伴う振動などの影響によって、異音や異物が生じる可能性があった。
【０００８】
そこで、本発明は上記問題に鑑みてなされたものであり、簡単な構成で確実に消炎装置を固定することができる消炎装置の組み付け構造を備えたインテークマニホールドを提供することを目的とする。
【課題を解決するための手段】
【０００９】
本発明に係るインテークマニホールドは、消炎装置が組み付けられた吸気口と複数の分岐管路とが形成されたチャンバ室を有するインテークマニホールドであって、前記インテークマニホールドは、長手方向に沿った分割面で複数に分割されて少なくともベース部材とカバー部材とから構成され、前記消炎装置は、前記吸気口に溶着される消炎装置固定部材と前記ベース部材によって挟持されることを特徴とする。
【００１０】
また、本発明に係るインテークマニホールドにおいて、前記消炎装置固定部材は、前記消炎装置の外周を径方向に押圧する押圧部を備えると好適である。
【００１１】
また、本発明に係るインテークマニホールドにおいて、前記ベース部材は、前記吸気口近傍に突起が形成され、前記消炎装置固定部材は、前記押圧部から延設する鍔部を備え、該鍔部に前記突起に嵌合可能な凹部を備えると好適である。
【００１２】
また、本発明に係るインテークマニホールドにおいて、前記ベース部材、前記カバー部材及び前記消炎装置固定部材は、これらの３部材を同時に溶着すると好適である。
【００１３】
また、本発明に係るインテークマニホールドにおいて、前記消炎装置固定部材は、前記消炎装置の軸方向の外周縁部と当接するフランジ部を備えると好適である。
【００１４】
上記発明の概要は、本発明の必要な特徴の全てを列挙したものではなく、これらの特徴群のサブコンビネーションもまた発明となり得る。
【発明の効果】
【００１５】
本発明に係るインテークマニホールドは、消炎装置が、ベース部材と消炎装置固定部材とによって挟持されているので、消炎装置を確実にインテークマニホールドに固定することができる。
【００１６】
また、本発明に係るインテークマニホールドは、消炎装置を押圧部によって径方向に固定しているので、確実に消炎装置をインテークマニホールドに固定することができる。
【００１７】
また、本発明に係るインテークマニホールドは、消炎装置固定部材を、ベース部材に形成した突起に組み付けて固定しているので、溶着の際に位置決めを確実に行うことができる。
【００１８】
また、本発明に係るインテークマニホールドは、ベース部材、カバー部材及び消炎装置固定部材の３部材を同時に溶着するので、消炎装置固定部材の溶着に伴う溶着工数の増加を抑えることができる。
【００１９】
また、本発明に係るインテークマニホールドは、消炎装置固定部材が消炎装置の軸方向の外周縁部と当接するフランジ部を備えているので、消炎装置固定部材の溶着の際の位置決めを行うと共に、溶着後に消炎装置の軸方向のガタツキを抑えることができる。
【図面の簡単な説明】
【００２０】
【図１】本実施形態に係るインテークマニホールドの構成を説明するための斜視図。
【図２】本実施形態に係るインテークマニホールドの分解図。
【図３】本実施形態に係るインテークマニホールドの消炎装置の取り付け構造を説明するための分解図。
【図４】図１におけるＡ−Ａ断面図。
【図５】図１におけるＢ−Ｂ断面図。
【発明を実施するための形態】
【００２１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２２】
図１は、本実施形態に係るインテークマニホールドの構成を説明するための斜視図であり、図２は、本実施形態に係るインテークマニホールドの分解図であり、図３は、本実施形態に係るインテークマニホールドの消炎装置の取り付け構造を説明するための分解図であり、図４は、図１におけるＡ−Ａ断面図であり、図５は、図１におけるＢ−Ｂ断面図である。
【００２３】
図１及び２に示すように、本実施形態に係るインテークマニホールド１は、エアクリーナ及びスロットルボディを介して濾過された外気を導入する吸気口１１と、内燃機関のシリンダヘッドに取り付けられ、図示しない燃料噴射弁が各々に組み付けられる複数の分岐通路１２とが形成され、吸気口１１及び分岐通路１２が連続するチャンバ室１３を備えている。
【００２４】
インテークマニホールド１は、チャンバ室１３の長手方向に沿った分割面でベース部材１０とカバー部材２０とに分割されており、ベース部材１０に形成されたチャンバ室１３の開口をカバー部材２０で閉塞することで中空形状に形成されている。
【００２５】
また、本実施形態に係るインテークマニホールド１は、吸気口１１に消炎装置固定部材３０によって消炎装置２が組み付けられている。消炎装置２は、概略円筒状の部材であり、波板状に形成された金属箔を巻きつけてハニカム状に形成されている。なお、ベース部材１０、カバー部材２０及び消炎装置固定部材３０は、合成樹脂によって形成されており、具体的には、夫々ポリプロピレン系樹脂やポリアミド系樹脂等の熱可塑性の合成樹脂が好適に用いられる。
【００２６】
このように、本実施形態に係るインテークマニホールド１は、消炎装置２が組み付けられているので、内燃機関のシリンダ燃焼室からのバックファイヤーを消炎してこれを防ぐことができる。
【００２７】
次に、本実施形態に係るインテークマニホールド１の消炎装置２の組付け構造について説明を行う。
【００２８】
図２に示すように、消炎装置２は、ベース部材１０に載置された後、消炎装置固定部材３０によって固定されている。詳述すると、図３に示すように、ベース部材１０の吸気口１１の近傍には、消炎装置２が載置される載置部１６が形成されており、該載置部１６に消炎装置２を仮組することができるようになっている。
【００２９】
載置部１６は、ベース部材１０に消炎装置２の外形形状に沿った溝状に形成されている。また、載置部１６には、消炎装置２の端縁と当接する端縁押え部１７が形成されており、消炎装置２の軸方向（吸気口１１から吸気方向に沿った方向）に固定されている。
【００３０】
さらに、ベース部材１０には、載置部１６の周方向の両端部に径方向に延設する溶着面１５が形成されており、該溶着面１５には、突起１４が立設している。
【００３１】
消炎装置固定部材３０は、消炎装置２の外周を径方向に押圧するように消炎装置２の外形形状に沿った円弧状に形成された押圧部３１と、押圧部３１の両端縁から延設する鍔部３２を備えている。
【００３２】
押圧部３１には、図５に示すように消炎装置２の軸方向の外周縁部と当接するフランジ部３５が径方向に突出して形成されている。
【００３３】
鍔部３２には、上述した突起１４が嵌合可能な凹部３３が形成されており、鍔部３２の外周縁には、溶着面３４が形成されている。
【００３４】
このように、図４及び５に示すように、本実施形態に係るインテークマニホールド１の消炎装置２は、ベース部材１０に消炎装置２を組み付け、消炎装置固定部材３０とベース部材１０によって挟持されて固定されている。また、チャンバ室１３等を画成してインテークマニホールド１の外形形状を構成するカバー部材２０は、消炎装置固定部材３０と対向する位置に形成された被覆部２１によって消炎装置固定部材３０を覆うように消炎装置固定部材３０の上から組み付けられてベース部材１０に溶着される。
【００３５】
したがって、消炎装置２は、ベース部材１０と消炎装置固定部材３０とによって挟持されることで径方向に固定されると共に、ベース部材１０に形成された端縁押え部１７によって軸方向に固定されているので、その位置を確実に固定することができる。
【００３６】
また、図４に示すように、ベース部材１０に形成された突起１４に消炎装置固定部材３０の凹部３３を嵌合させているので、消炎装置固定部材３０の位置を決めることができ、振動溶着等の溶着手段を採用した場合であっても、振動によって消炎装置固定部材３０の位置がずれることを防止できる。
【００３７】
また、ベース部材１０、カバー部材２０及び消炎装置固定部材３０は、ベース部材１０の溶着面１５と消炎装置固定部材３０の鍔部３２の外縁に形成された溶着面３４とを、カバー部材２０の溶着面２２によって覆うように配置して溶着しているので、ベース部材１０、カバー部材２０及び消炎装置固定部材３０の３部材を同時に溶着することができる。
【００３８】
このように、３部材を同時に溶着することで、溶着工程での段取り工数等の削減を図ることができ、インテークマニホールド１の製造コストを抑制することができる。
【００３９】
以上説明したように、上述した本実施形態に係るインテークマニホールド１では、分岐管路１２が３つ形成された場合について説明を行ったが、分岐管路１２の数はこれに限られず、適用される内燃機関の構成に応じて適宜変更可能である。
【００４０】
さらに、本実施形態に係るインテークマニホールド１では、ベース部材１０、カバー部材２０及び消炎装置固定部材３０を振動溶着によって溶着した場合について説明したが、これらの溶着は振動溶着に限られず例えば超音波溶着などを用いても構わない。その様な変更又は改良を加えた形態も本発明の技術的範囲に含まれうることが、特許請求の範囲の記載から明らかである。
【符号の説明】
【００４１】
１  インテークマニホールド，    ２  消炎装置，    １０  ベース部材，    １１  吸気口，    １２  分岐管路，    １３  チャンバ室，    １４  突起，    １５  溶着面，    １６  載置部，    ２０  カバー部材，    ２１  被覆部，    ２２  溶着面，    ３０  消炎装置固定部材，    ３１  押圧部，    ３２  鍔部，    ３３  凹部，    ３４  溶着面，    ３５  フランジ部。
【図１】
2015059431.tif 000003
【図２】
2015059431.tif 000004
【図３】
2015059431.tif 000005
【図４】
2015059431.tif 000006
【図５】
2015059431.tif 000007